(57)【特許請求の範囲】
【請求項１】
大バルクハウゼン効果を有する線状の磁性部材と、
回転しながら情報の読み取りが行われる回転体からなる記録媒体本体と、
円の中央に当該円と同心の孔が設けられた形状により形成されるともに前記記録媒体本体の内縁側に当該記録媒体本体の回転中心位置に当該円の中心が配置されるように付され、前記磁性部材を支持する紙と、
を有し、
前記磁性部材は、前記紙の外周及び内周に沿うようにして円状に設けられ、
全体の重量をＷｄ、前記紙および前記磁性部材の重量をＷｔとすると、Ｗｄ＞１０Ｗｔの関係が成立する
記録媒体。
【請求項２】
大バルクハウゼン効果を有する線状の磁性部材と、
回転しながら情報の読み取りが行われる回転体からなる記録媒体本体と、
円の中央に当該円と同心の孔が設けられた形状により形成されるともに前記記録媒体本体の内縁側に当該記録媒体本体の回転中心位置に当該円の中心が配置されるように付され、前記磁性部材を支持する紙と、
を有し、
前記磁性部材は、前記紙の外周及び内周に沿うようにして円状に設けられ、
全体の重量をＷｄ、前記紙および前記磁性部材の重量をＷｔとすると、Ｗｄ＞１０Ｗｔの関係が成立する
情報記録済みの情報記録媒体。
【請求項３】
大バルクハウゼン効果を有する線状の磁性部材と、回転しながら情報の読み取りが行われる回転体からなる記録媒体本体と、円の中央に当該円と同心の孔が設けられた形状により形成されるともに前記記録媒体本体の内縁側に当該記録媒体本体の回転中心位置に当該円の中心が配置されるように付され、前記磁性部材を支持する紙と、を有し、前記磁性部材は、前記紙の外周及び内周に沿うようにして円状に設けられ、全体の重量をＷｄ、前記紙および前記磁性部材の重量をＷｔとすると、Ｗｄ＞１０Ｗｔの関係が成立する記録媒体を保持する保持手段と、
前記保持手段に保持された記録媒体の磁性部材を検知する検知手段と、
を有する光ディスクドライブ装置。
【発明の詳細な説明】
【技術分野】
【０００１】
本発明は、情報タグ、記録媒体、情報記録済み情報記録媒体及び光ディスクドライブ装置に関する。
【背景技術】
【０００２】
近年、ＣＤ、ＤＶＤ等の記録媒体を用いた情報漏洩が問題になっている。その対策として、例えば、記録媒体のケースに磁気タグを付加し、入退出ゲートにおいてこの磁気タグを検知して、情報漏洩を防止することは公知である。
【０００３】
特許文献１では、アモルファス合金からなる磁性材の大バルクハウゼン効果を利用した磁気タグが開示されている。
【０００４】
【特許文献１】特開平６−８４０２９号公報
【発明の開示】
【発明が解決しようとする課題】
【０００５】
しかしながら、特許文献１に開示された磁気タグがＣＤ、ＤＶＤ等の回転体からなる記録媒体に付される場合、記録媒体の回転精度が低下し、情報が記録媒体から読み取れないことがある。
【０００６】
本発明は、情報の読み書き動作が回転中に行われる記録媒体に付された場合においても、記録媒体に対して情報の読み書き動作を行うことができる情報タグを提供することを目的とする。
【課題を解決するための手段】
【０００７】
本発明に係る情報タグは、大バルクハウゼン効果を有する線状の磁性部材と、前記磁性部材を支持する支持部材と、を有し、前記支持部材の中心を通る任意の対称線で２分割された一方の重量をＷ１、他方の重量をＷ２とする場合、０＜Ｗ２＜２Ｗ１の関係が成立する。本発明によれば、情報の読み書き動作が回転中に行われる記録媒体に付された場合においても、記録媒体に対して情報の読み書き動作を行うことができる。
【０００８】
好適には、前記支持部材は、紙であり、前記磁性部材は、前記支持部材に漉き込まれている。本発明によれば、情報タグの軽量化を図ることができる。
【０００９】
本発明に係る記録媒体は、大バルクハウゼン効果を有する線状の磁性部材と、前記磁性部材を支持する支持部材と、前記支持部材を支持し、情報を記録するための基材と、を有し、前記支持部材の中心を通る任意の対称線で２分割された一方の重量をＷ１、他方の重量をＷ２とする場合、０＜Ｗ２＜２Ｗ１の関係が成立する。本発明によれば、情報漏洩を防止するための情報タグが付された状態においても、情報の読み出し動作及び書き込み動作を行うことができる。
【００１０】
また、本発明に係る情報記録済み情報記録媒体は、大バルクハウゼン効果を有する線状の磁性部材と、前記磁性部材を支持する支持部材と、前記支持部材を支持し、情報が記録された基材と、を有し、前記支持部材の中心を通る任意の対称線で２分割された一方の重量をＷ１、他方の重量をＷ２とする場合、０＜Ｗ２＜２Ｗ１の関係が成立する。本発明によれば、情報漏洩を防止するための情報タグが付された状態においても、情報の読み出し動作を行うことができる。
【００１１】
さらに、本発明に係る光ディスクドライブ装置は、大バルクハウゼン効果を有する線状の磁性部材と、前記磁性部材を支持する支持部材と、前記支持部材を支持し、情報を記録するための基材と、を有し、前記支持部材の中心を通る任意の対称線で２分割された一方の重量をＷ１、他方の重量をＷ２とする場合、０＜Ｗ２＜２Ｗ１の関係が成立する記録媒体を保持する保持手段と、前記保持手段に保持された記録媒体の磁性部材を検知する検知手段と、を有する。本発明によれば、情報タグが付された記録媒体に対して、情報の読み出し動作及び書き込み動作を行うことができる。
【発明の効果】
【００１２】
本発明の情報タグによれば、情報の読み書き動作が回転中に行われる記録媒体に付された場合においても、記録媒体に対して情報の読み書き動作を行うことができる。
【発明を実施するための最良の形態】
【００１３】
図１は、本発明の実施形態に係る情報タグ１０が付された記録媒体１を示す図である。
図１に示すように、情報タグ１０は、磁性部材１４と、この磁性部材１４を支持する支持部材１２とを有する。支持部材１２は、パルプ繊維等からなる紙である。支持部材１２の形状は、中央に孔が設けられたドーナツ型である。例えば、支持部材１２の直径は、３０ｍｍ〜３５ｍｍであり、支持部材１２の孔の直径は、１６ｍｍ〜２０ｍｍである。
【００１４】
磁性部材１４は、大バルクハウゼン効果を有する例えば直径２０〜３０μｍの線状の磁性ワイヤーである。磁性部材１４は、支持部材１２に漉き込まれている。また、磁性部材は、支持部材１２の外周及び内周に沿うようにして、円状に設けられている。
【００１５】
ここで、情報タグ１０の重量及び磁性部材１４の配置位置について、情報タグ１０が支持部材１２の中心を通る任意の対称線で２分割された一方の重量をＷ１、他方の重量をＷ２とすると、０＜Ｗ２＜２Ｗ１の関係が成立する。
【００１６】
記録媒体１は、情報タグ１０及びこの情報タグ１０が付された記録媒体本体３を有する。記録媒体本体３は、情報を記録するための回転体からなる基材であり、例えば、ＣＤ、ＤＶＤ等である。なお、記録媒体本体３は、読み出し専用であってもよいし、読み書き可能であっても良い。また、記録媒体本体３には、情報が既に記録されていてもよい。
【００１７】
情報タグ１０は、記録媒体本体３の例えば内縁側に付されている。また、情報タグ１０は、記録媒体本体３のいずれの面に付されてもよい。
【００１８】
ここで、記録媒体１とこの記録媒体１に付された情報タグ１０との重量について、記録媒体１の重量をＷｄ、情報タグ１０の重量をＷｔとすると、Ｗｄ＞１０Ｗｔの関係が成立する。
【００１９】
したがって、本発明の実施形態に係る情報タグ１０によれば、この情報タグ１０が付された記録媒体１が、図示しない検知装置が設けられた入退出ゲートを通過する場合、情報タグ１０に含まれる磁性部材１４が大バルクハウゼン効果で検知装置により検知されるので、情報漏洩が防止されることができる。
【００２０】
また、磁性部材１４が、支持部材１２の全周に渡って配置されているので、検知装置としてのアンテナに指向性がある場合においても、指向性の影響を低減して、情報タグ１０に付された磁性部材１４の検知を容易にすることができる。
【００２１】
図２は、情報タグ１０における磁性部材１４の配置方法の他の実施例を示す図である。
図２（Ａ）は、４つの磁性部材１４ａ〜１４ｄが、支持部材１２に漉き込まれている図である。図２（Ａ）に示すように、磁性部材１４ａと磁性部材１４ｃとは、支持部材１２の外周及び内周に沿った円弧として、支持部材１２の中心に対して対称の位置に配置されている。磁性部材１４ｂと磁性部材１４ｄとについても、同様である。
【００２２】
例えば、磁性部材１４ａ〜１４ｄの長さは、２０ｍｍ以上であり、かつ、１周分の長さを磁性部材１４の数で割った値より小さい値である。このように、磁性部材１４ａ〜１４ｄの端部は、他の磁性部材と繋がっていなくてもよい。これにより、磁性部材１４ａ〜１４ｄを合わせた全長は、支持部材１２の１周分未満となるので、図１に示される場合と比較して、磁性部材１４の使用量及び情報タグ１０の重量を削減することができる。
【００２３】
図２（Ｂ）は、４つの磁性部材１４ａ〜１４ｄが直線である場合を例示する。図２（Ｃ）は、図２（Ｂ）に示される配置例に磁性部材１４ｅが追加された場合を例示する。図２（Ｄ）は、支持部材１２の孔の形状が円とは異なる形状（本例では、六角形）である場合を例示する。
【００２４】
図３は、本発明の実施形態に係る光ディスクドライブ装置２０の断面を示す図である。
図３に示すように、光ディスクドライブ装置２０は、装置本体２２、この装置本体２２に挿入口３２を介して挿入された記録媒体１を保持する保持手段としてのクランプ部２６、このクランプ部２６により保持された記録媒体１を回転させるスピンドルモータ２４、及び記録媒体１に付された情報タグ１０を検知する検知手段としてのアンテナ部２８，３０を有する。
【００２５】
アンテナ部２８は、クランプ部２６の上方に位置し、装置本体２２の内壁に設けられている。アンテナ部２８は、発生された磁界の変化を検知するセンサであり、大バルクハウゼン効果により記録媒体１に付された情報タグ１０の磁性部材１４を検知する。より具体的には、アンテナ部２８は、情報タグ１０が付された記録媒体１が光ディスクドライブ装置２０に挿入された場合、情報タグ１０に含まれる磁性部材１４が生じる磁化反転を検知し、検知信号を図示しない制御部に対して出力する。
【００２６】
アンテナ部３０は、クランプ部２６に保持された記録媒体１の下方に位置するように、クランプ部２６の近傍に設けられている。アンテナ部３０は、アンテナ部２８と同様にして磁性部材１４を検知する。なお、光ディスクドライブ装置２０には、アンテナ部２８，３０の少なくともいずれかが設けられていればよい。
【００２７】
したがって、光ディスクドライブ装置２０は、クランプ部２６により保持されスピンドルモータ２４により回転される記録媒体１に対して、情報の読み出し動作及び書込み動作を行う。本発明の実施形態に係る情報タグ１０によれば、この情報タグ１０が記録媒体１に付されている場合においても、回転精度（例えば、面ぶれ、偏心など）が維持されるので、記録媒体に対する情報の読み出し及び書込みが実施されることができる。
【図面の簡単な説明】
【００２８】
【図１】本発明の実施形態に係る情報タグ１０が付された記録媒体１を示す図である。
【図２】情報タグ１０における磁性部材１４の配置方法の他の実施例を示す図である。
【図３】本発明の実施形態に係る光ディスクドライブ装置２０の断面を示す図である。
【符号の説明】
【００２９】
１ 記録媒体
３ 記録媒体本体
１０ 情報タグ
１２ 支持部材
２０ 光ディスクドライブ装置
２２ 装置本体
２４ スピンドルモータ
２６ クランプ部
２８，３０ アンテナ部
【図１】
0004793659.tif 000002
【図２】
0004793659.tif 000003
【図３】
0004793659.tif 000004